(57)【特許請求の範囲】
【請求項１】
記憶媒体と通信する記憶媒体通信部と、前記記憶媒体通信部が前記記憶媒体から受信した記憶媒体情報に基づく画面表示を行う表示部と、内部記憶手段を備えることを特徴とする情報処理装置において、
記憶媒体から受信した記憶媒体情報に基づく表示情報を取得し、表示情報が画像情報か否かを判断し、表示情報が画像情報である場合は画像情報を表示し、表示情報がコード情報である場合には内部記憶手段の組版情報を選択し、コード情報をテキストデータに変換し、組版情報にテキストデータを組み込んで前記表示部に画面表示することを特徴とする情報処理装置。
【請求項２】
前記組版情報に加えて、前記内部記憶手段に記憶した組版用画像情報を用いて組版することを特徴とする請求項１記載の情報処理装置。
【請求項３】
外部のリーダライタ装置から送信された信号を検出すると、情報処理装置の動作モードを、信号を送信しないカードモードに切り替え、リーダライタ装置から送信された信号に基づいた画面表示を行う機能も備えていることを特徴とする請求項１または２記載の情報処理装置。
【請求項４】
記憶媒体が差し込まれ、記憶媒体から受信した記憶媒体情報に基づく画面表示を行う表示部と、内部記憶手段を備えることを特徴とする情報処理装置において、
記憶媒体から受信した記憶媒体情報に基づく表示情報を取得し、表示情報が画像情報か否かを判断し、表示情報が画像情報である場合は画像情報を表示し、表示情報がコード情報である場合には内部記憶手段の組版情報を選択し、コード情報をテキストデータに変換し、組版情報にテキストデータを組み込んで前記表示部に画面表示することを特徴とする記憶媒体付き情報処理装置。
【請求項５】
前記組版情報に加えて、前記内部記憶手段に記憶した組版用画像情報を用いて組版することを特徴とする請求項４記載の情報処理装置。
【請求項６】
外部のリーダライタ装置から送信された信号を検出すると、情報処理装置の動作モードを、信号を送信しないカードモードに切り替え、リーダライタ装置から送信された信号に基づいた画面表示を行う機能も備えていることを特徴とする請求項４または５記載の情報処理装置。
【発明の詳細な説明】
【技術分野】
【０００１】
本発明は、記憶媒体と通信する、記憶媒体の記憶されている情報をもとに画像表示する情報処理装置、または、記憶媒体と一体化している場合に、記憶媒体の記憶されている情報をもとに画像表示する情報処理装置に関する。
【背景技術】
【０００２】
近年、近距離無線通信を利用した非接触型のＩＣカードなどの記憶媒体を利用した商取引が普及している。このような商取引では、非接触型の記憶媒体を専用のリーダライタ装置にかざすことにより、記憶媒体とリーダライタ装置とが通信をして支払いなどの処理が行われている。具体的には、リーダライタ装置に接続された端末装置が、リーダライタ装置を介して、記憶媒体に備えられている不揮発性の記憶領域に記憶されている利用可能金額などを示す電子マネー情報を読み出し、新たな情報を書き込んで更新することにより、支払いなどの処理が行われている（特許文献１）。
【０００３】
現在の記憶媒体には、内部に記憶している電子マネー情報などを表示する機能を備えていない記憶媒体がある。そのため、専用のリーダライタ装置が接続されている端末装置に、記憶媒体に記憶されている情報を読み出させて表示させたり、書き換え可能なリライト層を記憶媒体の表面に有する場合にはリライト層の表面に印刷させたりすることで、記憶媒体に記憶されている電子マネー情報などを表示させている。
【０００４】
上述の方法では、端末装置がないところではリアルタイムに電子マネー情報などを確認することができないので、例えば、買い物の支払いなどの前に利用可能な金額を即時に確認することができず、利便性を損なっていた。そこで、記憶媒体に記憶されている電子マネー情報を即時に確認できるように、記憶媒体に記憶されている情報を読み出して表示する携帯型のビューワーなどの情報処理装置が利用されている。
【０００５】
この場合の記憶媒体から受信した記憶媒体情報の表示は、文字情報をそのまま表示する、または、その文字列を適宜修正する等の表示制御であった。また、情報処理装置内で記憶媒体情報の表示を工夫する方法として、表形式で表示する方法も示されているが、単に記憶媒体情報を表計算ソフト等に入れて表示させたものに過ぎず、見にくく、かつ訴求力のない画面であった。
【０００６】
他方、特許文献２の様に、組版情報を記憶媒体情報の一部に組み込む方法も知られている。この組版情報を用いた記憶媒体情報の表示は、各種表示の高度な制御が可能で、これにより高い訴求力を発揮できるが、メモリに上限が実質的にないネットワークを介した組版サーバの組版データを用いることで可能になっているものである。
【０００７】
しかし、この様な組版データを記憶媒体に記憶させるのは、外部の組版システムだから可能なものであり、非接触型のＩＣカードではその様なデータ全部を記憶させるのは実際的ではなく、またデータ全部を記憶させることが可能であっても、その記憶容量分だけ非接触型のＩＣカードが高価なものになってしまい、容易に普及できる規格にはなっていなかった。
【先行技術文献】
【特許文献】
【０００８】
【特許文献１】特開平１１−２５０１３６号公報
【特許文献２】特開２００５−１０００９９公報
【発明の概要】
【発明が解決しようとする課題】
【０００９】
従来の記憶媒体に記憶されている記憶媒体情報には、記憶容量の関係上、コード情報の様な情報しか入っていなかったため、そのまま表示した単純な文字表示や、単純な表形式の様な画面表示であり、高度で訴求力のある表示ではなかった。
【００１０】
本発明は、上記問題を解決すべくなされたもので、その目的は、記憶媒体から受信した記憶媒体情報を、高度で訴求力のある画面表示とすることを可能とするものであり、しかも、記憶容量の少ない記憶媒体であってもその様な画面表示を可能にした情報処理装置を提供することにある。
【課題を解決するための手段】
【００１１】
上記問題を解決するために、請求項１に係る本発明は、記憶媒体と通信する記憶媒体通信部と、前記記憶媒体通信部が前記記憶媒体から受信した記憶媒体情報に基づく画面表示を行う表示部と、内部記憶手段を備えることを特徴とする情報処理装置において、
記憶媒体から受信した記憶媒体情報に基づく表示情報を取得し、表示情報が画像情報か否かを判断し、表示情報が画像情報である場合は画像情報を表示し、表示情報がコード情報である場合には内部記憶手段の組版情報を選択し、コード情報をテキストデータに変換し、組版情報にテキストデータを組み込んで前記表示部に画面表示することを特徴とする情報処理装置を提供するものである。
【００１２】
また、請求項２に係る本発明は、前記組版情報に加えて、前記内部記憶手段に記憶した組版用画像情報を用いて組版することを特徴とする請求項１記載の情報処理装置を提供するものである。
【００１３】
また、請求項３に係る本発明は、外部のリーダライタ装置から送信された信号を検出すると、情報処理装置の動作モードを、信号を送信しないカードモードに切り替え、リーダライタ装置から送信された信号に基づいた画面表示を行う機能も備えていることを特徴とする請求項１または２記載の情報処理装置を提供するものである。
【００１５】
また請求項４に係る本発明は、記憶媒体が差し込まれ、記憶媒体から受信した記憶媒体情報に基づく画面表示を行う表示部と、内部記憶手段を備えることを特徴とする情報処理装置において、
記憶媒体から受信した記憶媒体情報に基づく表示情報を取得し、表示情報が画像情報か否かを判断し、表示情報が画像情報である場合は画像情報を表示し、表示情報がコード情報である場合には内部記憶手段の組版情報を選択し、コード情報をテキストデータに変換し、組版情報にテキストデータを組み込んで前記表示部に画面表示することを特徴とする記憶媒体付き情報処理装置を提供するものである。
【００１６】
また請求項５に係る本発明は、前記組版情報に加えて、前記内部記憶手段に記憶した組版用画像情報を用いて組版することを特徴とする請求項４記載の情報処理装置を提供するものである。
【００１７】
また請求項６に係る本発明は、外部のリーダライタ装置から送信された信号を検出すると、情報処理装置の動作モードを、信号を送信しないカードモードに切り替え、リーダライタ装置から送信された信号に基づいた画面表示を行う機能も備えていることを特徴とする請求項４または５記載の情報処理装置を提供するものである。
【図面の簡単な説明】
【００１９】
【図１】本実施形態における情報処理装置１の外形の一例を示す模式図である。
【図２】本実施形態における情報処理装置１及び記憶媒体２の構成の一例を示す概略ブロック図である。
【図３】情報処理装置１に備えられている非接触ＩＣ１１２と、記憶媒体２に備えられている非接触ＩＣ２１とに記憶されている情報の一例を示す図である。
【図４】本実施形態における情報処理装置１の制御処理を示すフローチャートである。
【図５】図４におけるステップＳ１１４のカード読取処理の詳細な動作の一例を示すフローチャートである。
【図６】本実施形態の情報処理装置１において表示パネル１２２に表示する情報を生成する過程の第１の例を示す図である。
【発明を実施するための形態】
【００２０】
以下、図面を参照して、本発明の一実施形態による情報処理装置を説明する。
【００２１】
図１は、本実施形態における情報処理装置１の外形の一例を示す模式図である。なお、本実施形態では、記憶媒体２がカード状の形状の、情報処理装置とは別体を構成している場合を例にして説明する。
【００２２】
同図に示すように、情報処理装置１は、記憶媒体２から読み出した表示情報をそのまま、もしくは適当な処理、例えば、コード情報の場合にはテキストデータに変換し、組版した上で表示する表示パネル１２２と、ユーザによる操作に基づいて操作信号が入力される入力部１３とを備えている。また、情報処理装置１には、カード状の記憶媒体２を差し込むことで、記憶媒体２を内部に収納するスロットを備えている。なお、図１において、入力部１３は、１つの場合を示しているが、複数あってもよいし、表示パネル１２２上に配置されるタッチ式のパネルであってもよいし、加速度センサ（モーションセンサ）などでもよい。
【００２３】
図２は、本実施形態における情報処理装置１及び記憶媒体２の構成の一例を示す概略ブロック図である。
【００２４】
同図に示すように、情報処理装置１は、通信部１１と、表示部１２と、入力部１３と、電源部１４と、キャリア検出部１５とを備えている。記憶媒体２は、非接触ＩＣ（Ｉｎｔｅｇｒａｔｅｄｃｉｒｃｕｉｔ；集積回路）２１と、アンテナ（ループアンテナ）２２とを備えている。
【００２５】
情報処理装置１において、通信部１１は、記憶媒体２と無線による通信を行い、記憶媒体２に備えられている非接触ＩＣ２１が記憶している表示情報などの各種情報を読み出し、読み出した情報をそのまま、もしくは適当に処理を施して表示部１２に出力する。通信部１１は、制御部１１１と、非接触ＩＣ１１２と、アンテナ（ループアンテナ）１１３とを備えている。
【００２６】
制御部１１１は、受信した情報を非接触ＩＣ２１に記憶させるカードモードと、記憶媒体２から情報を読み出すリーダライタモード（ＲＷモード）との２つの動作モードを切り替えて、情報処理装置１内の各構成部に対する制御を行う。例えば、制御部１１１は、マイクロプロセッサ、マイクロプロセッサの記憶領域としてのＲＡＭ、マイクロプロセッサのプログラムが記憶されているＲＯＭ、タイマなどを含み構成されている。
【００２７】
また、制御部１１１は、入力部１３から入力される操作信号に基づいて、非接触ＩＣ１１２を制御し、非接触ＩＣ１１２を通じて読み出した記憶媒体２の情報の判別や処理、例えば、情報が、表示情報であり、それがコード情報であった場合、組版などを行ったうえで、表示部１２に表示させる処理を行う。
【００２８】
非接触ＩＣ１１２は、アンテナ１１３を通じて通信を行い、記憶媒体２に記憶されている情報を読み出して制御部１１１に出力する。
【００２９】
なお、例えば、非接触ＩＣ１１２が送信する信号の電力は、自装置（情報処理装置１）に差し込まれた記憶媒体２と通信ができる範囲内で可能な限り小さい電力に設定されている。この電力値は、シミュレーションや、実測に基づいて設定される。
【００３０】
更に、非接触ＩＣ１１２は、不揮発性の記憶領域を有し、当該記憶領域にアプリケーション・プログラム及びデータが記憶されていてもよい。
【００３１】
アンテナ１１３は、例えば、情報処理装置１の中央部に配置され、記憶媒体２が情報処理装置１に差し込まれた際に、記憶媒体２が有するアンテナ２２と重ならない位置に配置されるのが好ましい。
【００３２】
表示部１２は、表示ドライバ１２１と、表示パネル１２２とを有している。表示ドライバ１２１は、通信部１１から入力される情報を表示パネル１２２に応じた電気信号に変換して表示パネル１２２に出力する。
【００３３】
表示パネル１２２は、表示ドライバ１２１から入力された電気信号に応じた情報を表示する。例えば、表示パネル１２２には、液晶ディスプレイや、電子ペーパーなどが用いられる。
【００３４】
入力部１３は、図１において示したように、ユーザの操作による操作信号が入力される。入力部１３は、例えば、機械式のスイッチや、抵抗膜方式又は静電容量方式のタッチ・センサなどが用いられる。入力部１３には、例えば、ユーザの操作により、記憶媒体２に記憶されている情報のうち、操作対象の情報を指定する。
【００３５】
この場合、例えば指示された情報がコード情報の場合、このコード情報を読み出して組版したうえで、表示部１２に表示させる操作情報が入力される。
【００３６】
電源部１４は、情報処理装置１内に電源を供給する。電源部１４としては、例えば、１次電池、２次電池などが用いられる。また、大容量のコンデンサと太陽電池とを組み合わせて電源部１４を構成するようにしてもよい。
【００３７】
キャリア検出部１５は、非接触ＩＣ１１２を介してアンテナ１１３に接続されている。また、キャリア検出部１５は、アンテナ１１３を通じて、記憶媒体２と通信をする周波数帯域において受信環境に対応して設定される。
【００３８】
例えば、基準電力値は、自装置の非接触ＩＣ１１２の送信電力、及び記憶媒体の非接触ＩＣ２１の送信電力より高く、リーダライタ装置などの送信電力より低く設定される。また、キャリア検出部１５は、受自装置の非接触ＩＣ１１２が送信している信号と、自装置以外の装置から送信される信号とも適宜区別できる。
【００３９】
記憶媒体２に備えられている非接触ＩＣ２１は、アンテナ２２を通じて無線通信を行う。また、非接触ＩＣ２１は、情報処理装置１に備えられている非接触ＩＣ１１２と同様に、不揮発性の記憶領域を有している。
【００４０】
記憶媒体２の記憶領域には、各種情報、例えば、残高、ポイント等の電子マネー情報、乗車券や航空券、イベントの入場券等の場合は、そのチケット情報、その他各種履歴などのコード情報が記憶されている。
【００４１】
なお、記憶容量に応じて、この様なコード情報以外に、アプリケーション・プログラム等や、簡単な画像、もしくはその所在情報が記憶されているのが通例である。
【００４２】
対する、情報処理装置１の記憶領域には、記憶媒体２の記憶領域のコード情報を表示部１２でユーザが理解しやすい、もしくは表現力の高い表示にすべく、このようなコード情報を的確な表示にするための組版情報が記憶されている。なお、この様な組版情報に加えて、コード情報の表現力やアピール力を高めるためのプログラム等や、修飾画像、もしくはその他の制御情報が記憶されているものであっても良い。
【００４３】
以下の説明は、記憶媒体２の記憶領域に表示情報の一種である電子マネー情報などのコード情報のほかに、アプリケーション・プログラム及びデータが記憶されている場合で以下説明する。
【００４４】
また、情報処理装置１の記憶領域には、組版情報だけではなく、その他のプログラムを含む集合体であるスクリプトと、表示に用いられる画像などのデータが記憶されている場合で以下説明する。
【００４５】
まず、非接触ＩＣ２１は、受信する信号に基づいて当該記憶領域に記憶されているコード情報を読み出して送信し、また、受信した信号に基づいてコード情報を記憶又は更新する。また、非接触ＩＣ２１は、アンテナ２２を通じて受信した信号により発電し、発電した電力により動作する。
【００４６】
図３は、情報処理装置１に備えられている非接触ＩＣ１１２と、記憶媒体２に備えられている非接触ＩＣ２１とに記憶されているコード情報を含む情報の一例を示す図である。
【００４７】
図３（ａ）は、記憶媒体２に備えられている非接触ＩＣ２１に記憶されているコード情報を含む情報の一例である。記憶領域のうち、アプリケーション・プログラム及びデータが記憶されている領域は、複数のアプリケーション領域に分割され、各アプリケーション領域には、アプリケーション・プログラム又はコード情報が記憶されている。
【００４８】
同図に示す例では、１番目の領域には、画像データが記憶されている。２番目の領域には、３番目以降のアプリケーション領域に記憶されているプログラム又はデータを選択するための表示機能アプリケーションが記憶されている。３番目の領域には、電子マネー情報の更新履歴を表示させる際に用いる履歴画像データと、更新履歴を示す文字情報を組版するためのスクリプトとを含む履歴表示アプリケーションが記憶されている。
【００４９】
４番目の領域には、電子マネー情報として記憶されている利用可能な残高を表示させる際に用いる残高画像データと、残高を示す文字情報を組版するためのスクリプトとを含む残高表示アプリケーションが記憶されている。５番目の領域には、非接触ＩＣ２１の記憶領域に記憶されているチケット情報を表示させる際に用いるチケット画像データと、文字情報を組版するためのスクリプトとを含むチケット表示アプリケーションが記憶されている。
【００５０】
以上のように、各領域には、アプリケーションに応じたプログラム（スクリプト）と、画像などのデータとが記憶されている。
【００５１】
また、図３（ｂ）は、情報処理装置１に備えられている非接触ＩＣ１１２に記憶されている情報の一例を示す図である。非接触ＩＣ１１２の記憶領域は、複数のアプリケーション領域に分割され、各アプリケーション領域には、アプリケーション・プログラム及びデータが記憶されている。
【００５２】
同図に示す例では、１番目の領域には、画像データが記憶されている。２番目の領域には、３番目以降のプリケーション領域に記憶されているプログラム又はデータを選択するためのプログラムを含む表示機能アプリケーションが記憶されている。３番目の領域には、買い物や食事などで割引を受けられる電子クーポンを表す画像データを含むクーポン情報が記憶されている。
【００５３】
４番目の領域には、地図を表す画像データを含む地図情報記憶されている。５番目の領域には、お店の特徴などを記載した文章を示す文章データを含む店舗情報が記憶されている。６番目の領域には、史跡の特徴などを記載した文章を示す文章データや、史跡の写真などを示す画像データを含む史跡情報が記憶されている。
【００５４】
以上のように、各領域には、アプリケーションに応じた情報が記憶されている。
【００５５】
図４は、本実施形態における情報処理装置１の制御処理を示すフローチャートである。
【００５６】
同図に示す処理例では、情報処理装置１は、３つの割り込み処理ルーチンと、メイン処理ルーチンとを実行する。なお、ここでは、情報処理装置１には、記憶媒体２が差し込まれ、情報処理装置１以外に情報処理装置１の外部から記憶媒体２又は情報処理装置１と通信をする装置をリーダライタ装置とした場合を例にして説明する。
【００５７】
まずは、メイン処理ルーチンから説明する。
【００５８】
メイン処理が開始されると、キャリア検出部１５は、記憶媒体２との通信で使用する周波数帯域の信号を受信すると、リーダライタ装置から送信された信号（ＲＷキャリア）が送信されているか否かを判定して、制御部１１１に出力する（ステップＳ１０１）。
【００５９】
リーダライタ装置から送信された信号が検出された場合（ステップＳ１０１、Ｙｅｓ）、制御部１１１は、動作モードをカードモードに切り替え（ステップＳ１０２）、リーダライタ装置から受信した信号に自装置の識別子が含まれている否かを非接触ＩＣ１１２に判定させる（ステップＳ１０３）。なお、ステップＳ１０３の判定において、不特定の装置を示すブロードキャスト用の識別子が含まれていた場合、自装置の識別子が含まれていると判定する。
【００６０】
自装置の識別子が含まれていない場合（ステップＳ１０３、Ｎｏ）、制御部１１１は、後述するステップＳ１０９とステップＳ１１０とを順に行う。
【００６１】
一方、自装置の識別子が含まれていた場合（ステップＳ１０３、Ｙｅｓ）、制御部１１１は、非接触ＩＣ１１２を制御してリーダライタ装置から情報の受信を開始し（ステップＳ１０４）、リーダライタ装置から情報の受信が完了するまで、受信を継続する（ステップＳ１０５、ステップＳ１０６）。
【００６２】
リーダライタ装置から情報の受信が完了すると（ステップＳ１０６、Ｙｅｓ）、制御部１１１は、受信した情報を変換して表示ドライバ１２１に出力する（ステップＳ１０７）。ここで、制御部１１１が行う変換は、例えば、圧縮されたデータの復元などである。
【００６３】
表示ドライバ１２１は、制御部１１１から入力された情報を表示パネル１２２に応じた電気信号に変換して出力し、表示パネル１２２に表示させる（ステップＳ１０８）。
【００６４】
続いて、制御部１１１は、予め定められた時間を設定してタイマ１１１Ａを起動させ（ステップＳ１０９）、設定された時間が経過したことをタイマ１１１Ａにより検出すると、一時的に動作を停止してスリープ状態（節電状態）になる（ステップＳ１１０）。
【００６５】
ステップＳ１０１における判定で、リーダライタ装置から送信された信号が検出されなかった場合（ステップＳ１０１、Ｎｏ）、制御部１１１は、記憶媒体２から情報を読み出して表示させることを示す操作信号が入力部１３に入力されているか否かを判定する（ステップＳ１１１）。ここで、記憶媒体２から情報を読み出して表示させることを示す操作信号とは、例えば、予め定められたスイッチをオンにすることにより入力される信号などである。
【００６６】
記憶媒体２に記憶されている情報を表示させる操作信号が入力されていない場合（ステップＳ１１１、Ｎｏ）、制御部１１１は、ステップＳ１０９と、ステップＳ１１０とを順に行う。
【００６７】
一方、記憶媒体２から情報を読み出して表示させることを示す操作信号が入力されている場合（ステップＳ１１１、Ｙｅｓ）、制御部１１１は、動作モードをＲＷモードに切り替えて（ステップＳ１１２）、非接触ＩＣ１１２から記憶媒体２に向けて情報の読み出し要求を含む信号を送信させ（ステップＳ１１３）、非接触ＩＣ１１２を介して記憶媒体２に記憶されている情報を読み出す（ステップＳ１１４）。
【００６８】
制御部１１１は、記憶媒体２から情報の読み出しが完了すると、非接触ＩＣ１１２に信号の送信を停止させて（ステップＳ１１５）、ステップＳ１０７〜ステップＳ１１０を順に行う。
【００６９】
続いて、割り込み処理Ａについて説明する。
【００７０】
キャリア検出部１５は、リーダライタ装置からの信号（ＲＷキャリア）を検出すると、制御部１１１にＲＷキャリアを検出したことを示す情報を出力する（ステップＳ１４１）。
【００７１】
制御部１１１は、ＲＷキャリアを検出したことを示す情報が入力されると、表示ドライバ１２１にＲＷキャリアを検出したこと表示させる情報を出力して、表示パネル１２２に表示させ（ステップ１４３）、リアルタイム・インターラプト（ＲｅａｌＴｉｍｅＩｎｔｅｒｒｕｐｔ；ＲＴＩ）により、メイン処理ルーチン（ステップＳ１０１〜ステップＳ１１５）の動作を行うように、各機能部を制御する。
【００７２】
割り込み処理Ｂについて説明する。
【００７３】
制御部１１１は、入力部１３からユーザによる操作信号が入力されると（ステップＳ１５１）、直前に表示部１２に表示させた情報を再度表示させて（ステップＳ１５２）、ＲＴＩにより、メイン処理ルーチン（ステップＳ１０１〜ステップＳ１１５）の動作を行うように、各機能部を制御する。
【００７４】
割り込み処理Ｃについて説明する。
【００７５】
制御部１１１は、設定された時間が経過したことをタイマ１１１Ａの桁あふれ（Ｏｖｅ
ｒｆｌｏｗ；ＯＶＦ）により検出すると（ステップＳ１６１）、表示ドライバ１２１に表示を停止させる信号を出力して、表示パネル１２２の表示を停止させ（ステップ１６２）、ＲＴＩにより、ステップＳ１１０の動作を行う。
【００７６】
上述のように、制御部１１１は、リーダライタ装置から送信される信号を検出すると非接触ＩＣ１１２に送信を停止させる（ステップＳ１４２）。また、制御部１１１は、入力部１３に入力された操作信号により動作を開始する場合、リーダライタ装置から送信される信号を検出すると動作モードを、信号を送信しないカードモードとして動作させる（ステップＳ１５１〜Ｓ１５３、ステップＳ１０１、Ｓ１０２）。
【００７７】
これにより、情報処理装置１は、リーダライタ装置と記憶媒体２との通信に干渉せずに、記憶媒体２に記憶されている情報を読み出して表示することができる。
【００７８】
図５は、図４におけるステップＳ１１４のカード読取処理の詳細な動作の一例を示すフローチャートである。
【００７９】
上述の様に、割り込み処理Ａ〜Ｃのどれかが発生した場合、図４における各種ステップを経てステップＳ１１４の動作が開始される。
【００８０】
そうすると、制御部１１１は、入力部１３からの入力を待つ。その結果、指示された情報を記憶媒体２に記憶されている表示情報から取得する。
【００８１】
例えば、記憶媒体２に記憶されている表示情報から、入力部１３からの入力により、１番目の情報である画像情報を取得する。この場合は、表示情報が画像情報か否かを判断し（ステップＳ２０１）、そのまま表示ドライバ１２１に送付し、表示ドライバ１２１の働きにより表示部１２で画像表示する（ステップＳ２０６）。もちろん、そのままではなく、各種処理、例えば画像種類変換等を行っても良い。
【００８２】
なお、この場合に入力部１３からの入力が認識されなかった場合は、自動的に１番目の情報を取得する様にしてもよい。
【００８３】
また、入力部１３からの入力により、２番目の情報であるコードを取得した場合は、表示情報が画像情報か否かを判断し（ステップＳ２０１）、画像選択（ステップＳ２０２）に進む。
【００８４】
画像選択（ステップＳ２０２）では、表示情報が履歴に関するものと判断し、その履歴に関する組版情報として、表にテキストデータを組み込み可能な組版情報が選択される。次に、表示情報であるコードをテキストに変換する（ステップＳ２０３）。次に、履歴の表示に用いられる表示画像である履歴画像が、３番目の情報として存在するので、これを取得する（ステップＳ２０４）。最後に、取得した履歴画像、変換されたテキストデータを組み込んで、組版情報に従い、表示部に表示可能な組版データを作成し、文字画像組版（ステップＳ２０５）を行う。
【００８５】
この組版データを表示ドライバ１２１に送付し、表示ドライバ１２１の働きにより表示部１２２で表示する。
【００８６】
これに代わり、制御部１１１は、ユーザの操作によりスクロールなどして選択されたアプリケーション領域を示す操作信号が入力部１３を通じて入力され、選択されたアプリケーション領域から読み出した情報にスクリプトが含まれているか否かを判定するものでもよい。
【００８７】
スクリプトが含まれている場合、制御部１１１は、選択されたアプリケーション領域に記憶されている情報を、非接触ＩＣ１１２を介して読み出し、読み出した情報に含まれる画像データを表示パネル１２２に表示できるサイズに設定し、読み出した情報に含まれる文字情報をスクリプトに従って組版を行う。
【００８８】
制御部１１１は、読み出した情報に含まれる画像データが圧縮されている場合、復元し、読み出した情報に複数の画像データが含まれている場合、当該複数の画像データを組版して表示パネル１２２に表示する情報を生成する。制御部１１１は、生成した情報を表示ドライバ１２１に出力して、表示部１２２に表示させるものでも良い。
【００８９】
また、画像情報か否かは、ＪＰＥＧ２０００形式であるか否かや、ＢＭＰである判断作を行うものでも良い。
【００９０】
また、制御部１１１は、表示部１２２に何も表示させない情報を生成して、表示のクリアを行うものでもよい。
【００９１】
図６は、具体的に表示部１２２に表示するコード６ｂをテキストデータ６ｃに変換し、さらに画像データ６ａに組み込んで組版データを作成する過程の一例を示す図である。
【００９２】
この場合の変換は、例えば、バイナリデータをアスキーデータに変換する、１６進データを１０進データに変換する、日付や時間の表現形式を変換する、その他各種変換を含むのが一般的である。
【００９３】
ここでは、記憶媒体２に記憶されている情報のうち、図３（ａ）において３番目のアプリケーション領域に記憶されている履歴表示アプリケーションが個別情報として選択され、これを組版情報を含むスクリプトにより組版されることにより、ユーザに理解しやすくアピール力がある表示とする場合について説明する。
【００９４】
図６において、画像データ６ａは、履歴画像データの一例を示す図である。履歴画像データ６ａには、図示するように、電子マネー情報による支払いをした年月日を示す「年月日」列と、支払い額を示す「支払」列と、支払い後の残高を示す「残高」列と、備考欄として「備考」列とが予め含まれている。
【００９５】
電子マネー情報であるコード６ｂは、記憶媒体２から読み出されたコード情報の一例である。制御部１１１は、記憶媒体２から読み出したコード情報６ｂに対してテキストデータ６ｃに文字コード変換を行う。なお、制御部１１１は、情報処理装置１から読み出した情報に含まれるスクリプトに基づいて、この組版が行われるものでも良い。
【００９６】
文字コード変換により得られたコード情報６ｃに対して画像データ６ａに組版をし、組版データを表示ドライバ１２１に出力して表示パネル１２２に表示させる。
【００９７】
これにより、単なる文字の羅列による電子マネー情報の表示に比べて、電子マネー情報が組版されて表示されているため、ユーザがその電子マネー情報を容易に、しかも誤認識されることが少なくなり、しかも、訴求力が高い表示し、しかも限られた容量の記憶媒体２で実現することができるようになった。
【００９８】
本実施形態における情報処理装置１は、その他、支払い処理を実行する端末装置と、記憶媒体２とが通信をすることにより、記憶媒体２に記憶されている電子マネー情報を利用した支払いを可能にするものであっても構わない。
【００９９】
また、情報処理装置１は、記憶媒体２と独立した構成としているので、情報処理装置１に備えられた電源部１４から電力を供給できなくなった場合においても、記憶媒体２と、リーダライタ装置などの他の装置との通信を阻害することはない。そのため、ユーザは、情報処理装置１が動作しない場合でも、記憶媒体２を利用した支払いなどの処理を行うことができる。
【０１００】
なお、本実施形態において、制御部１１１は、記憶媒体２が他の装置と通信をしていることを検出した場合、表示パネル１２２に記憶媒体２が通信中であることを示す情報を表示するようにしてもよい。これにより、ユーザに記憶媒体２から情報を読み出せないことを通知することができる。
【０１０１】
また、本実施形態では、情報処理装置１と、記憶媒体２とが独立した構成を説明したが、情報処理装置１が記憶媒体２を含む構成にしてもよい。その場合、情報処理装置１の内部に、非接触ＩＣ２１及びアンテナ２２が含まれることになる。
【０１０２】
また、制御部１１１は、記憶媒体２の情報が更新された場合に、表示パネル１２２に表示する情報を更新することができるものであってもよく、また、制御部１１１は内部に、コンピュータシステムを有していてもよい。その場合、上述した制御処理及びカード読取処理の過程は、組版情報を含むプログラムの形式でコンピュータ読み取り可能な記録媒体に記憶されており、このプログラムをコンピュータが読み出して実行することによって、上記組版などの処理が行われることになる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【０１０３】
以上の説明は、情報処理装置と記憶媒体が別体である場合で説明したが、一体である場合でも構わない。
【産業上の利用可能性】
【０１０４】
非接触ＩＣカードなどの記憶媒体を利用した既存のシステムに干渉することなく、当該記憶媒体に記憶されている情報を的確に、しかも表現力のある表示をすることができる。
【符号の説明】
【０１０５】
１…情報処理装置
２…記憶媒体
１１…通信部
１２…表示部
１３…入力部
１４…電源部
１５…キャリア検出部
２１…非接触ＩＣ
２２…アンテナ
１１１…制御部
１１２…非接触ＩＣ
１１３…アンテナ
１２１…表示ドライバ
１２２…表示パネル
【図１】
0005760352.tif 000002
【図２】
0005760352.tif 000003
【図３】
0005760352.tif 000004
【図４】
0005760352.tif 000005
【図５】
0005760352.tif 000006
【図６】
0005760352.tif 000007